(57)【要約】      （修正有）【課題】病院やホール等、施設の管理者の要求に応じて、動作状態を変更する無線基地局、通信システム及び管理装置を提供する。【解決手段】通常動作時は、無線基地局として動作し、圏外発生局として動作時には、全てのモバイルキャリアが用いている全ての周波数帯に対して電波を送信することで、エリア内にいる全ての無線通信端末を圏外にする。緊急地震速報や避難速報に代表される緊急呼を受信した際には、通信を即座に再開、緊急呼の通信を可能にする。【選択図】図１２
2016082341.tif 000002
【特許請求の範囲】
【請求項１】
無線通信端末と通信を行う第１の動作状態と、妨害電波を送信することにより前記無線通信端末を圏外にする第２の動作状態とを有し、
前記第１の動作状態と前記第２の動作状態間の動作状態の変更を制御することを特徴とする無線基地局。
【請求項２】
請求項１に記載の無線基地局であって、
前記無線基地局が前記第２の動作状態において、無線基地局管理装置が緊急呼を検出すると、設定変更要求が前記無線基地局に送信され、
前記無線基地局は、前記設定変更要求を受信すると、前記第２の動作状態から前記第１の動作状態に動作状態を変更することを特徴とする無線基地局。
【請求項３】
請求項１に記載の無線基地局であって、
前記無線基地局が前記第２の動作状態において、無線基地局管理装置が前記第２の動作状態の終了時刻を検出すると、設定変更要求が前記無線基地局に送信され、
前記無線基地局は、前記設定変更要求を受信すると、前記第２の動作状態から前記第１の動作状態に動作状態を変更することを特徴とする無線基地局。
【請求項４】
請求項１に記載の無線基地局であって、
無線基地局管理装置が作業者の要求を受信すると、設定変更要求が前記無線基地局に送信され、
前記無線基地局は、前記設定変更要求を受信すると、前記作業者の要求に基づいて前記第１の動作状態と前記第２の動作状態間の動作状態を変更することを特徴とする無線基地局。
【請求項５】
請求項１に記載の無線基地局であって、
前記第２の動作状態において緊急呼を検出すると、前記第２の動作状態から前記第１の動作状態に動作状態を変更することを特徴とする無線基地局。
【請求項６】
請求項１に記載の無線基地局であって、
前記第２の動作状態において終了時刻を検出すると、前記第２の動作状態から前記第１の動作状態に動作状態を変更することを特徴とする無線基地局。
【請求項７】
請求項１に記載の無線基地局であって、
作業者の要求を受信すると、前記作業者の要求に基づいて前記第１の動作状態と前記第２の動作状態間の動作状態の変更することを特徴とする無線基地局。
【請求項８】
請求項１に記載の無線基地局であって、
発振器と、前記発振器に接続される変調器と、前記変調器に接続される増幅器と、からなる送信部を複数備え、
複数の前記送信部から妨害電波を送信することにより、複数の周波数帯域において前記無線通信端末を圏外にすることを特徴とする無線基地局。
【請求項９】
請求項１に記載の無線基地局であって、
前記第２の動作状態から前記第１の動作状態に動作状態を変更する際、
緊急呼の検出をトリガとして変更を行う場合は、最大電力で送信するよう送信電力制御を行い、
前記第２の動作状態の終了時刻の検出、又は、作業者の要求をトリガとして変更を行う場合は、段階的に電力を上げつつ送信するよう送信電力制御を行うことを特徴とする無線基地局。
【請求項１０】
無線通信端末と通信を行う無線基地局と、
前記無線基地局とコアネットワーク間を流れるパケットを収集する収集装置と、
前記収集装置及び前記無線基地局に接続される無線基地局管理装置と、を備える通信システムであって、
前記無線基地局は、前記無線通信端末と通信を行う第１の動作状態と、妨害電波を送信することにより前記無線通信端末を圏外にする第２の動作状態とを有し、
前記無線基地局管理装置は、設定変更要求を前記無線基地局に送信し、
前記無線基地局は、前記設定変更要求を受信すると、前記第１の動作状態と前記第２の動作状態間の動作状態の変更を制御することを特徴とする通信システム。
【請求項１１】
請求項１０に記載の通信システムであって、
前記無線基地局が前記第２の動作状態において、前記無線基地局管理装置が前記パケットから緊急呼を検出すると、前記設定変更要求を前記無線基地局に送信し、
前記無線基地局は、前記設定変更要求を受信すると、前記第２の動作状態から前記第１の動作状態に動作状態を変更することを特徴とする通信システム。
【請求項１２】
請求項１０に記載の通信システムであって、
前記無線基地局が前記第２の動作状態において、前記無線基地局管理装置が前記第２の動作状態の終了時刻を検出すると、前記設定変更要求を前記無線基地局に送信し、
前記無線基地局は、前記設定変更要求を受信すると、前記第２の動作状態から前記第１の動作状態に動作状態を変更することを特徴とする通信システム。
【請求項１３】
請求項１０に記載の通信システムであって、
前記無線基地局管理装置が作業者の要求を受信すると、前記設定変更要求を前記無線基地局に送信し、
前記無線基地局は、前記設定変更要求を受信すると、前記作業者の要求に基づいて前記第１の動作状態と前記第２の動作状態間の動作状態を変更することを特徴とする無線基地局。
【請求項１４】
請求項１０に記載の通信システムであって、
留守番電話サービスセンターサーバを更に有し、
前記第２の動作状態の前記無線基地局に接続された無線通信端末に対して、他の無線通信端末が発信した場合、前記無線基地局は前記留守番電話サービスセンターサーバに接続し、
前記留守番電話サービスセンターサーバは、前記他の無線通信端末に対して、専用応答メッセージを送信することを特徴とする通信システム。
【請求項１５】
無線通信端末と通信を行う無線基地局に接続される無線基地局管理装置であって、
前記無線基地局は、前記無線通信端末と通信を行う第１の動作状態と、妨害電波を送信することにより前記無線通信端末を圏外にする第２の動作状態とを有し、
前記無線基地局管理装置は、前記無線基地局が前記第２の動作状態において緊急呼を検出すると、前記第２の動作状態から前記第１の動作状態に動作状態を変更するための設定変更要求を前記無線基地局に送信することを特徴とする無線基地局管理装置。
【発明の詳細な説明】
【技術分野】
【０００１】
本発明は、無線基地局およびその管理装置に関する。
【背景技術】
【０００２】
近年、コンサートや演劇の上演中、病院の集中治療室など静寂性を要求される場所や、学校の教室などで試験実施時の携帯電話を用いた不正防止のため、あえて特定のエリアに限定して携帯電話を圏外にする装置が普及している。
【０００３】
本装置の利用については、商用のライセンスバンドの電波を利用するため、総務省の認可が必要となる。しかし、前述の様な場所に限定し国も認可しているケースが多く、かつ利用のための免許料が安いことも相まって、導入する施設が増加している。
【先行技術文献】
【特許文献】
【０００４】
【特許文献１】特開２００６−３３４２２号公報
【発明の概要】
【発明が解決しようとする課題】
【０００５】
モバイルキャリアがある無線基地局に対して発呼規制をかけることで、当該無線基地局における通信はできなくなる。しかし、当該モバイルキャリアが管理する端末のみ抑制可能であり、他のモバイルキャリアが管理する端末の通信抑制を行うことができない。そのため、全てのモバイルキャリアが用いている全ての周波数帯に対して、圏外発生が可能なジャミング装置が必要となる。
【０００６】
前述のジャミング装置は、全てのモバイルキャリアが用いている全ての周波数帯に対してジャミングを行うことで、無線通信端末を圏外とするが、無線基地局としての機能を保持しない。そのため、端末は緊急地震速報や避難速報に代表される緊急呼受信の機会を損なうといった課題が存在する。
【０００７】
特許文献１には、ジャミング装置稼動時において、無線ＬＡＮを用いて通信手段を提供するシステムが開示されている。セルラシステムにおける発着信は抑制可能で有るが、無線ＬＡＮを用いるため、昨今普及しているＬＩＮＥに代表されるＩＰ電話システムの発着信に関しては抑制することができない。また、無線ＬＡＮ経由の通信であるため、端末が緊急地震速報や避難速報に代表される緊急呼受信の機会を損なうといった課題は残されている。
【課題を解決するための手段】
【０００８】
本願において開示される発明のうち、代表的なものの概要を簡単に説明すれば、下記の通りである。
【０００９】
無線通信端末と通信を行う第１の動作状態と、妨害電波を送信することにより前記無線通信端末を圏外にする第２の動作状態とを有し、前記第１の動作状態と前記第２の動作状態間の動作状態の変更を制御することを特徴とする無線基地局である。
【００１０】
また、無線通信端末と通信を行う無線基地局と、前記無線基地局とコアネットワーク間を流れるパケットを収集する収集装置と、前記収集装置及び前記無線基地局に接続される無線基地局管理装置と、を備える通信システムであって、前記無線基地局は、前記無線通信端末と通信を行う第１の動作状態と、妨害電波を送信することにより前記無線通信端末を圏外にする第２の動作状態とを有し、前記無線基地局管理装置は、設定変更要求を前記無線基地局に送信し、前記無線基地局は、前記設定変更要求を受信すると、前記第１の動作状態と前記第２の動作状態間の動作状態の変更を制御することを特徴とする通信システムである。
【００１１】
さらに、無線通信端末と通信を行う無線基地局に接続される無線基地局管理装置であって、前記無線基地局は、前記無線通信端末と通信を行う第１の動作状態と、妨害電波を送信することにより前記無線通信端末を圏外にする第２の動作状態とを有し、前記無線基地局管理装置は、前記無線基地局が前記第２の動作状態において緊急呼を検出すると、前記第２の動作状態から前記第１の動作状態に動作状態を変更するための設定変更要求を前記無線基地局に送信することを特徴とする無線基地局管理装置である。
【発明の効果】
【００１２】
本発明によれば、通常の無線基地局としての機能と、圏外発生局としての機能を具備した無線基地局を提供することができる。特に、無線基地局が圏外発生局として動作する時においても、端末は緊急呼の受信機会を損なうことがないことを可能にする。
【００１３】
上記した以外の課題、構成及び効果は、以下の実施形態の説明により明らかにされる。
【図面の簡単な説明】
【００１４】
【図１】第１の実施例におけるシステムの全体構成図である。
【図２】第１の実施例における無線基地局管理装置の構成図である。
【図３】第１の実施例におけるユーザ情報データベースの一例である。
【図４】第１の実施例における無線基地局データベースの一例である。
【図５】第１の実施例における接続情報データベースの一例である。
【図６】第１の実施例における無線基地局の構成図である。
【図７】第１の実施例における無線基地局制御部の処理フローである。
【図８】第１の実施例における無線基地局の圏外発生動作設定処理のシーケンスである。
【図９】第１の実施例における緊急呼検出時の無線基地局の圏外発生動作解除処理のシーケンスである。
【図１０】第１の実施例における圏外発生動作終了時刻経過時の無線基地局の圏外発生動作解除処理のシーケンスである。
【図１１】第１の実施例における作業者の要求による無線基地局の圏外発生動作解除処理のシーケンスである。
【図１２】第１の実施例における圏外発生動作時の無線基地局に接続された端末に対する呼出がなされた場合の処理シーケンスである。
【図１３】第１の実施例における専用応答メッセージの一例である。
【図１４】第２の実施例における無線基地局の構成図である。
【図１５】第２の実施例における無線基地局の通常時の動作図である。
【図１６】第２の実施例における無線基地局の圏外発生動作時の動作図である。
【図１７】第２の実施例における無線基地局の動作制御部の処理フローである。
【図１８】第２の実施例における無線基地局の圏外発生動作設定処理のシーケンスである。
【図１９】第２の実施例における緊急呼検出時の無線基地局の圏外発生動作解除処理のシーケンスである。
【図２０】第２の実施例における圏外発生動作終了時刻経過時の無線基地局の圏外発生動作解除処理のシーケンスである。
【図２１】第２の実施例における作業者の要求による無線基地局の圏外発生動作解除処理のシーケンスである。
【発明を実施するための形態】
【実施例１】
【００１５】
次に、本発明を実施するための形態について図面を用いて詳細に説明する。
【００１６】
なお、以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明などの関係にある。
【００１７】
また、以下の実施の形態において、要素の数等（個数、数値、量、範囲等を含む）に言及する場合、特に明示した場合及び原理的に明らかに特定の数に限定される場合などを除き、その特定の数に限定されるものではなく、特定の数以上でも以下でも良いものとする。
【００１８】
さらに、以下の実施の形態において、その構成要素（要素ステップなどを含む）は、特に明示した場合及び原理的に明らかに必須であると考えられる場合などを除き、必ずしも必須のものではないことは言うまでもない。
【００１９】
図１は無線通信システムの構成図である。無線通信システムは、病院やホールなどに設置された無線基地局２００Ａ、２００Ｂの動作状態を管理する無線基地局管理装置１００、コアネットワークにおけるパケットを複製するＴＡＰ装置３００、ＴＡＰ装置３００にて複製されたパケットを収集するＤＰＩ(Ｄｅｅｐ Ｐａｃｋｅｔ Ｉｎｓｐｅｃｔｉｏｎ)装置４００、ユーザデータを扱うアクセスゲートウェイであるＳＧＷ(Ｓｅｒｖｉｎｇ  ＧａｔｅＷａｙ)５００、ネットワーク制御を行うＭＭＥ（Ｍｏｂｉｌｉｔｙ  Ｍａｎａｇｅｍｅｎｔ  Ｅｎｔｉｔｙ）６００、コアネットワークから外部のインターネット８００に接続するためのアクセスゲートウェイであるＰＧＷ(Ｐａｃｋｅｔ  ｄａｔａ  ｎｅｔｗｏｒｋ  Ｇａｔｅｗａｙ)７００、留守番電話機能を利用した際に接続される留守番電話サービスセンターサーバ９００からなる。ＤＰＩ装置４００が、無線基地局２００Ａ、２００ＢとＭＭＥ６００およびＳＧＷ５００の間を流れるパケットから、無線基地局２００Ａ、２００Ｂに接続している端末１０００Ａ〜１０００Ｆの情報を取得し、無線基地局管理装置１００に通知する。
【００２０】
また、無線基地局管理装置１００は、無線基地局２００Ａ、２００Ｂに接続されており、ユーザからの要求に応じて、無線基地局２００Ａ、２００Ｂの設定を変更することを可能とする。
【００２１】
図２は、無線基地局管理装置１００の構成図である。無線基地局管理装置１００は、ネットワークＩ／Ｆ１０１、無線情報集計部１０２、接続情報データベース作成部１０３、無線基地局制御部１０４、ユーザ情報データベース１０５、無線基地局データベース１０６、接続情報データベース１０７、タイマ部１０８から構成される。
【００２２】
無線基地局管理装置１００は、ネットワークＩ／Ｆ１０１を通じて、ＤＰＩ装置４００からの情報を収集、および、無線基地局２００に対して設定変更要求を送信する。
【００２３】
無線情報集計部１０２は、ネットワークＩ／Ｆ１０１を通じて、端末１０００に関する情報として、接続している無線基地局ＩＤおよび端末固有のＩＤであるＩＭＳＩ（Ｉｎｔｅｒｎａｔｉｏｎａｌ Ｍｏｂｉｌｅ Ｓｕｂｓｃｒｉｂｅｒ Ｉｄｅｎｔｉｔｙ）を収集し、接続情報データベース作成部１０３に通知する。また、ネットワークＩ／Ｆ１０１を通じて、ネットワーク上を流れるトラフィックを監視し、緊急呼の検出を行う。
【００２４】
接続情報データベース作成部１０３は、無線情報集計部１０２から得た情報から、無線基地局２００ごとに、接続されている端末１０００の情報を抽出し、接続情報データベース１０７を更新する。また、接続情報データベース１０７更新時には、ネットワークＩ／Ｆ１０１を通じて、留守番電話サービスセンターサーバ９００に対して、更新した端末１０００のＩＭＳＩ情報を通知する。
【００２５】
無線基地局制御部１０４は、作業者がＧＵＩもしくはバッチファイルにより要求される設定変更指示に基づいて、無線基地局２００に対して設定変更要求を送信する。そして、設定変更を実施した無線基地局２００に関して、無線基地局データベース１０６の動作状態を更新する。さらに、無線基地局データベース１０６、接続情報データベース１０７を参照し、情報を紐付けし、ユーザ情報データベース１０５を更新する。また、タイマ部１０８と連携して、無線基地局データベース１０６に記録された終了予定時刻になると設定変更要求を当該無線基地局２００に対して送信することを可能にすると共に、周期的に設定変更指示、もしくは、設定情報の確認を実施可能とする。
【００２６】
図３は、ユーザ情報データベース１０５の一例である。ユーザ情報データベース１０５は、端末固有のＩＤであるＩＭＳＩ、当該端末が接続されている無線基地局ＩＤ、当該無線基地局の設置場所、圏外発生局動作に設定変更された時刻および終了予定時刻がＩＭＳＩごとに記録されている。これらの記録は、無線基地局制御部１０４が設定変更を実施するたびに更新される。
【００２７】
図４は、無線基地局データベースの１０６一例である。無線基地局データベース１０６は、無線基地局ＩＤ、当該無線基地局の設置場所が、無線基地局ＩＤごとに記録されている。無線基地局の設置場所に関する情報は、作業者により入力されて管理される。また、それぞれの無線基地局の状態監視も記録されており、無線基地局の動作状態、圏外発生動作時には、開始時刻および終了予定時刻が記録される。
【００２８】
図５は、接続情報データベース１０７の一例である。接続情報データベース１０７は無線基地局ＩＤごとに接続されている端末のＩＭＳＩが記録されている。これらは、無線情報集計部１０２にて情報が収集されるごとに更新される。
【００２９】
図６は、無線基地局２００の構成図である。無線基地局２００は、無線基地局の機能として、ネットワークＩ／Ｆ２０１、ベースバンド処理部２０４と、受信系２０６、送信系２０７からなる、ＡＦＥ（Ａｎａｌｏｇ  ＦｒｏｎｔＥｎｄ）２０５、アンテナ２１１で構成される通常系を備える。無線基地局は、通常系を用いて端末と通信を行う。さらに、圏外発生局の機能として、スイッチ２０２、動作制御部２０３、発振器２０８、変調部２０９、高周波増幅器２１０、アンテナ２１１で構成されるバイパス系を備えている。無線基地局は、バイパス系を用いて、妨害電波を送信することにより、無線基地局の電波が届く範囲において端末の通信を圏外にする。なお、バイパス系においては発振器２０８、変調部２０９、高周波増幅器２１０、アンテナ２１１からなる送信部を複数備え、複数の送信部から妨害電波を送信する。これにより、無線基地局動作時において、通信に使用する周波数帯域以外の周波数帯域においても圏外発生を可能とする。本例においては、通常系にて使用する周波数帯域においてはアンテナ２１１を共用する構成をとっているが、通常系、バイパス系でそれぞれアンテナ２１１を具備してもよい。
【００３０】
動作制御部２０３は、ネットワークＩ／Ｆ２０１を通じて、無線基地局管理装置１００からの設定変更要求を受信し、無線基地局２００内のスイッチ２０２を切り替え、無線基地局の動作を変更する。また、動作制御部２０３は通常系を構成する送信系２０７に接続されており、通常の無線基地局動作への設定変更時における、送信系２０７の送信電力制御も実施する。
【００３１】
図７は、無線基地局管理装置１００が、ある無線基地局２００を圏外発生動作に設定変更した際のフローチャートである。Ｓ１０１において、無線基地局２００に対して圏外発生動作への設定変更要求を送信する。Ｓ１０２において、設定変更要求が送信される無線基地局２００に接続されている端末１０００の情報をユーザ情報データベース１０５に追加し、無線基地局データベース１０６における当該無線基地局２００の情報（動作状態、圏外発生動作開始時刻、圏外発生動作終了予定時刻）を更新する。Ｓ１０３において無線情報集計部１０２において緊急呼が検出された場合、Ｓ１０４においてタイマ部１０８が無線基地局データベース１０６に記録されている終了予定時刻を過ぎたことを検出した場合、又は、Ｓ１０５において作業者より設定変更指示があった場合には、当該無線基地局２００に対して、Ｓ１０６において、通常動作への設定変更要求を送信する。また、Ｓ１０７において、ユーザ情報データベース１０５における、当該無線基地局２００に接続されていた端末１０００の情報を削除し、無線基地局データベース１０６における、当該無線基地局２００の情報（動作状態、圏外発生動作開始時刻、圏外発生動作終了予定時刻）を更新する。
【００３２】
図８は圏外発生動作への設定変更処理のシーケンス図である。Ｓ２０１において、作業者１１００が無線基地局管理装置１００に圏外発生動作への設定変更要求操作を実施する。Ｓ２０２において、設定変更要求操作を実施された無線基地局管理装置１００は設定変更要求を無線基地局２００に送信する。Ｓ２０３において、無線基地局２００はスイッチ２０２を切り替え、圏外発生動作に設定を変更する。並行してＳ２０４において、設定変更した無線基地局２００に関して、無線基地局管理装置１００は、ユーザ情報データベース１０５および基地局情報データベース１０６を更新する。また、Ｓ２０５において、無線基地局管理装置１００は、当該無線基地局２００に接続された端末のＩＭＳＩおよび当該無線基地局における圏外動作終了予定時刻を留守番電話サービスセンターサーバ９００に通知する。通知を受けた留守番電話サービスセンターサーバ９００は、Ｓ２０６において、自身の持つＩＭＳＩリストに通知された端末のＩＭＳＩを追加し、更新する。
【００３３】
図９は緊急呼検出時の無線基地局の圏外発生動作解除処理シーケンスである。Ｓ３０１において、緊急呼が検出された場合には、Ｓ３０２において、無線基地局２００に対して通常動作への設定変更要求を送信する。通常動作への設定変更要求を受信した無線基地局２００は、Ｓ３０３においてスイッチ２０２を切り替え、送信系２０７に対し、接続している全ての端末に対して緊急呼の受信が可能となるよう、最大電力で送信するよう送信電力制御を行い、Ｓ３０４において通信を開始する。並行して、無線基地局管理装置１００はＳ３０５において、ユーザ情報データベース１０５に記録されている、通常動作への設定変更要求を送信した無線基地局２００に接続されている端末１０００の情報を削除し、基地局情報データベース１０６に記録されている無線基地局２００に関する情報を更新する。また、Ｓ３０６において、当該無線基地局２００に接続された端末のＩＭＳＩおよび当該ＩＭＳＩの記録削除要求を留守番電話サービスセンターサーバ９００に通知する。通知を受けた留守番電話サービスセンターサーバ９００は、Ｓ３０７において、自身の持つＩＭＳＩリストから通知された端末のＩＭＳＩを削除し、更新する。
【００３４】
図１０は圏外発生動作終了時刻経過時の無線基地局の圏外発生動作解除処理シーケンスである。Ｓ４０１において、無線基地局制御部１０４がタイマ部１０８より圏外発生動作終了予定時刻を経過したとの通知を受信する。タイマ部１０８は、無線基地局データベース１０６を参照して、終了予定時刻の経過を検出する。Ｓ４０２において、無線基地局２００に対して通常動作への設定変更要求を送信する。通常動作への設定変更要求を受信した無線基地局２００は、Ｓ４０３においてスイッチ２０２を切り替え、送信系２０７に対し、接続要求のバースト発生を防止するため、段階的に電力を上げつつ送信するよう送信電力制御を行い、Ｓ４０４において通信を開始する。並行して、無線基地局管理装置１００はＳ４０５において、ユーザ情報データベース１０５に記録されている、通常動作への設定変更要求を送信した無線基地局２００に接続されている端末１０００の情報を削除し、無線基地局データベース１０６に記録されている無線基地局２００に関する情報を更新する。また、Ｓ４０６において、当該無線基地局２００に接続された端末のＩＭＳＩおよび当該ＩＭＳＩの記録削除要求を留守番電話サービスセンターサーバ９００に通知する。通知を受けた留守番電話サービスセンターサーバ９００は、Ｓ４０７において、自身の持つＩＭＳＩリストから通知された端末のＩＭＳＩを削除し、更新する。
【００３５】
図１１は作業者の要求による無線基地局の圏外発生動作解除処理シーケンスである。Ｓ５０１において、作業者１１００が無線基地局管理装置１００に通常動作への設定変更要求操作を実施する。無線基地局管理装置１００は、通常動作変更要求を受信すると、Ｓ５０２において、無線基地局２００に対して通常動作への設定変更要求を送信する。通常動作への設定変更要求を受信した無線基地局２００は、Ｓ５０３においてスイッチ２０２を切り替え、送信系２０７に対し、接続要求のバースト発生を防止するため、段階的に電力を上げつつ送信するよう送信電力制御を行い、Ｓ５０４において通信を開始する。並行して、無線基地局管理装置１００はＳ５０５において、ユーザ情報データベース１０５に記録されている、通常動作への設定変更要求を送信した無線基地局２００に接続されている端末１０００の情報を削除し、無線基地局データベース１０６に記録されている無線基地局２００に関する情報を更新する。また、Ｓ５０６において、当該無線基地局２００に接続された端末のＩＭＳＩおよび当該ＩＭＳＩの記録削除要求を留守番電話サービスセンターサーバ９００に通知する。通知を受けた留守番電話サービスセンターサーバ９００は、Ｓ５０７において、自身の持つＩＭＳＩリストから通知された端末のＩＭＳＩを削除し、更新する。
【００３６】
このように、無線基地局は、無線基地局管理装置からの設定変更要求に応じて、端末と通信を行う通常動作状態と、端末を圏外にする圏外発生動作状態とを切り替える。これより、通常の無線基地局としての機能と、圏外発生局としての機能を具備することできる。また、例えば、緊急呼の検出をトリガとして切り替える場合には、無線基地局が圏外発生局として動作する時でも、端末が緊急呼を受信することが可能になる。また、圏外発生動作終了時刻の検出をトリガとして切り替える場合には、無線基地局が圏外発生局として動作終了後、速やかに端末の受信機会を担保することができる。さらに、作業者の要求をトリガとして切り替える場合には、作業者の要求に応じて柔軟に、通常動作と圏外発生動作を変更することができる。
【００３７】
図１２は圏外発生動作時の無線基地局に接続された端末に対する呼出がなされた場合の処理シーケンスである。端末１０００Ａが無線基地局２００と通信中である。Ｓ６０１において、作業者１１００が無線基地局管理装置１００に圏外発生動作への設定変更要求操作を実施する。Ｓ６０２において、設定変更要求操作を実施された無線基地局管理装置１００は設定変更要求を無線基地局２００に送信する。Ｓ６０３において、設定変更した無線基地局２００に関して、ユーザ情報データベース１０５および無線基地局データベース１０６を更新する。Ｓ６０４において、当該無線基地局２００に接続された端末のＩＭＳＩおよび当該無線基地局における圏外動作終了予定時刻を留守番電話サービスセンターサーバ９００に通知する。Ｓ６０５において、留守番電話サービスセンターサーバ９００は、自身の持つＩＭＳＩリストを更新する。並行して、設定変更要求を受信した無線基地局２００は、Ｓ６０６において、当該無線基地局２００内部のスイッチ２０２を切り替える。
【００３８】
Ｓ６０７において、圏外発生動作時の無線基地局２００と通信をしている端末１０００Ａに対して、端末１０００Ｂが電話をかける。Ｓ６０８において、当該無線基地局２００は、コアネットワークの管理装置より呼び出し(Ｐａｇｉｎｇ)されるが、圏外発生動作中で有るため、端末１０００Ａに対して呼出処理を実行できず、端末１０００Ａは応答できない。Ｓ６０９において、端末１０００Ａからの応答がないため、タイムアウトし、Ｓ６１０において、留守番電話サービスセンターサーバ９００に接続される。留守番電話サービスセンターサーバ９００は、自身の持つ圏外発生動作中の無線基地局に接続された端末のＩＭＳＩリストを参照し、リスト内に登録されている端末に対しての呼出であった場合には、当該端末が接続している無線基地局の圏外発生動作の終了時刻を参照し、Ｓ６１１において専用の応答メッセージを送信する。
【００３９】
図１３は、留守番電話サービスセンターサーバ９００の専用応答メッセージの一例である。応答できない端末が接続されている無線基地局が圏外発生動作時であれば、場所および通信可能となる時間、例えば演劇やコンサートで有れば終演時間が明確であるため、それらを留守番電話の応答メッセージに加える事を可能とする。これらの留守番電話応答メッセージは、音声によるものでもよいが、ショートメッセージサービスやメールにより配信することも可能である。どの方法を用いて伝達するかはユーザの設定にゆだねることも可能である。
【実施例２】
【００４０】
続いて、第２の実施例について、図面を用いて詳細に説明する。第２の実施例は、ネットワーク内に無線基地局管理装置１００を設置せず、無線基地局２００において、イベント検出および動作の切り替えを実施するものである。
【００４１】
図１４は、無線基地局の構成図である。実施例１と同様の部分は説明を省略する。無線基地局２００は、実施例１と異なり、スイッチ２０２ａ、２０２ｂ、動作制御部２０３に接続されたタイマ部２１２を備える。
【００４２】
動作制御部２０３は、ネットワークＩ／Ｆ２０１を通じて、作業者の設定変更要求を受信し、無線基地局２００内のスイッチ２０２ａ、２０２ｂを切り替え、動作モードを変更する。また、ベースバンド処理部２０４において、受信された情報から緊急呼の情報が検出された場合、通常動作への設定変更を可能とする。さらに、動作制御部２０３は通常系を構成する送信系２０７に接続されており、通常の無線基地局動作への設定変更時における、送信系２０７の送信電力制御も実施する。
【００４３】
次に、無線基地局２００の動作について図１５、１６を用いて説明する。
【００４４】
図１５は、無線基地局２００の通常動作時を示しており、図１６は、無線基地局２００の圏外発生動作時を示している。ベースバンド処理部２０４において、緊急呼の情報を検知し、その情報を動作制御部２０３に通知する必要があるため、常にベースバンド処理部２０４においてパケットデータを受信可能とする。そのため、通常系の切り替えスイッチ２０２ａは、ベースバンド処理部２０４と送信系２０５の間に存在する。また、バイパス系のスイッチ２０２ｂは、ベースバンド処理部２０４の手前に存在する。通常動作時には、スイッチ２０２ａをＯＮ、スイッチ２０２ｂをＯＦＦ状態に設定し、通常系を通じて端末と通信を実施する。圏外発生動作時においては、スイッチ２０２ａをＯＦＦ、スイッチ２０２ｂをＯＮ状態に設定し、バイパス系を通じて、全てのキャリアに対して圏外発生局として動作する。
【００４５】
図１７は、無線基地局２００を圏外発生動作に設定変更した際の処理フローチャートである。作業者からの圏外発生動作への設定変更要求を受信すると、Ｓ７０１において、スイッチ２０２の切り替えを実施し、圏外発生動作へ動作変更する。Ｓ７０２において、ベースバンド処理部２０４において緊急呼が検出された場合、Ｓ７０３において、タイマ部２１２のタイマが圏外発生動作の終了時刻を経過したことを検出した場合、又は、Ｓ７０４において作業者より設定変更指示があった場合には、Ｓ７０５において、動作制御部２０３がスイッチ２０２の切り替えを実施し、通常動作への変更を行う。
【００４６】
図１８は、無線基地局の圏外発生動作設定処理のシーケンスである。Ｓ８０１において、作業者１１００は無線基地局２００に対して、圏外発生動作終了予定時刻の情報を含んだ、圏外発生動作への設定変更要求を送信する。Ｓ８０２において、設定変更要求を受信した、無線基地局２００内の動作制御部２０３は、スイッチの切り替えを実施し、圏外発生動作への動作変更を行う。そして、動作制御部２０３は、Ｓ８０３において、圏外発生動作終了予定時刻をタイマ部２１２に通知する。Ｓ８０４において、通知を受けたタイマ部２１２はタイマを始動する。
【００４７】
図１９は、緊急呼検出時の無線基地局の圏外発生動作解除処理のシーケンスである。Ｓ９０１において、緊急呼を受信した無線基地局２００内のベースバンド処理部２０４は、Ｓ９０２において、動作制御部２０３に対して、通常動作への設定変更要求を送信する。設定変更要求を受信した動作制御部２０３は、Ｓ９０３において、スイッチの切り替えを実施し、送信系２０７に対し、接続している全ての端末に対して緊急呼の受信が可能となるよう、最大電力で送信するよう送信電力制御を行う。Ｓ９０４において、ベースバンド処理部２０４が端末と通信可能となる。
【００４８】
図２０は、圏外発生動作終了時刻経過時の無線基地局の圏外発生動作解除処理のシーケンスである。Ｓ１００１において、無線基地局２００内のタイマ部２１２が圏外発生動作の終了時刻を経過したことを検出する。タイマ部２１２は、Ｓ１００２において、動作制御部２０３に対して、通常動作への設定変更要求を送信する。設定変更要求を受信した動作制御部２０３は、Ｓ１００３において、スイッチの切り替えを実施し、送信系２０７に対し、接続要求のバースト発生を防止するため、段階的に電力を上げつつ送信するよう送信電力制御を行う。Ｓ１００４において、ベースバンド処理部２０４が端末と通信可能となる。
【００４９】
図２１は、作業者の要求による無線基地局の圏外発生動作解除処理のシーケンスである。Ｓ１１０１において、作業者１１００が無線基地局２００に対して、通常動作への設定変更要求を送信する。設定変更要求を受信した無線基地局２００内の動作制御部２０３は、Ｓ１１０２においてスイッチ２０２の切り替えを実施し、送信系２０７に対し、接続要求のバースト発生を防止するため、段階的に電力を上げつつ送信するよう送信電力制御を行う。Ｓ１１０３において、ベースバンド処理部２０４が端末と通信可能となる。
【００５０】
本発明は上記した実施形態に限定されるものではなく、様々な変形例が含まれる。例えば、上記した実施形態は本発明を分かりやすく説明するために詳細に説明したものであり、必ずしも説明したすべての構成を備えるものに限定されるものではない。また、ある例の構成の一部を他の例の構成に置き換えることが可能であり、また、ある例の構成に他の例の構成を加えることも可能である。また、各例の構成の一部について、他の例の追加・削除・置換をすることが可能である。
【００５１】
また、上記の各構成・機能・処理部等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル、データベース等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【符号の説明】
【００５２】
１００    無線基地局管理装置
１０１    ネットワークＩ／Ｆ  (Ｉｎｔｅｒｆａｃｅ)
１０２    無線情報集計部
１０３    接続情報データベース作成部
１０４    無線基地局制御部
１０５    ユーザ情報データベース
１０６    無線基地局データベース
１０７    接続情報データベース
１０８    タイマ部
２００    無線基地局
２０１    ネットワークＩ／Ｆ (Ｉｎｔｅｒｆａｃｅ)
２０２    スイッチ
２０３    動作制御部
２０４    ベースバンド処理部
２０５    ＡＦＥ（Ａｎａｌｏｇ  ＦｒｏｎｔＥｎｄ）
２０６    受信系
２０７    送信系
２０８    発振器
２０９    変調部
２１０    高周波増幅器
２１１    アンテナ
２１２    タイマ部
３００    ＴＡＰ装置
４００    ＤＰＩ装置
５００    ＳＧＷ(Ｓｅｒｖｉｎｇ Ｇａｔｅｗａｙ)
６００    ＭＭＥ(Ｍｏｂｉｌｉｔｙ Ｍａｎａｇｅｍｅｎｔ Ｅｎｔｉｔｙ)
７００    ＰＧＷ(Ｐａｃｋｅｔ Ｄａｔａ Ｎｅｔｗｏｒｋ Ｇａｔｅｗａｙ)
８００    インターネット
９００    留守番電話サービスセンターサーバ
１０００  端末
１１００  作業者
【図１】
2016082341.tif 000003
【図２】
2016082341.tif 000004
【図３】
2016082341.tif 000005
【図４】
2016082341.tif 000006
【図５】
2016082341.tif 000007
【図６】
2016082341.tif 000008
【図７】
2016082341.tif 000009
【図８】
2016082341.tif 000010
【図９】
2016082341.tif 000011
【図１０】
2016082341.tif 000012
【図１１】
2016082341.tif 000013
【図１２】
2016082341.tif 000014
【図１３】
2016082341.tif 000015
【図１４】
2016082341.tif 000016
【図１５】
2016082341.tif 000017
【図１６】
2016082341.tif 000018
【図１７】
2016082341.tif 000019
【図１８】
2016082341.tif 000020
【図１９】
2016082341.tif 000021
【図２０】
2016082341.tif 000022
【図２１】
2016082341.tif 000023